(57)【要約】      （修正有）【課題】施工増によるコストが低減でき、玄関への出入りを見られることがなく、目隠しの役割をし、玄関部分に直接当たる風を防ぐことができ、壁側に断熱材を配置する十分なスペースを確保できる。【解決手段】戸境壁で区画された住宅群の片側に外廊下が構築された集合住宅の玄関部構造であって、ほぼ天井から床まで延びるメーターボックスが、玄関部の玄関扉に対向して、外廊下の手摺りと一体的に設けられていることを特徴とする。【選択図】図３
0003108109.tif 000002
【実用新案登録請求の範囲】
【請求項１】
戸境壁で区画された住宅群の片側に外廊下が構築された集合住宅の玄関部構造であって、ほぼ天井から床まで延びるメーターボックスが、玄関部の玄関扉に対向して、外廊下の手摺りと一体的に設けられていることを特徴とする集合住宅の玄関部構造。
【請求項２】
住宅の断熱構造が外断熱構造である請求項１の集合住宅の玄関部構造。
【請求項３】
前記外断熱構造で用いられる断熱材層の厚さが５０ｍｍ以上である請求項２の集合住宅の玄関部構造。
【考案の詳細な説明】
【技術分野】
【０００１】
本考案は、集合住宅の玄関部構造に関し、戸境壁で区画された住宅群の片側に外廊下が構築された集合住宅の玄関部構造に関する。
【背景技術】
【０００２】
コンクリート建物における効果的な断熱構造の一つとして、コンクリート壁の屋外側の面に断熱材を貼着し、その外側に空気層と、壁面仕上げ用の外装材を設ける、いわゆる外断熱構造が知られている。
そして、この外断熱構造では、壁はもちろんのこと、外気に面する部分であれば、柱や梁にも断熱材を貼着し、外装材で覆うこととなる。
【０００３】
ところが、図５に示すような一般的な片廊下型集合住宅の住棟形式では、柱ａや梁ｂが外壁ｃの外側面より突出することが多い。特に、共用廊下ｄ側には、電気、ガス、水道などの共用幹線や共用縦管、それらのメーター類、ガス湯沸器や空調用の室外機などを設置するメーターボックスｅが外壁ｃから突出した状態に設けられているので、それらの袖壁ｆを含めて複雑な外壁面を形成することになる。勿論、メーターボックスｅを外壁ｃより内側、つまり、室内側に凹入させて設けることも可能ではあるが、その分、間取りが制約されることになる。
そのため、一般的には、図５に示したように、メーターボックスｅが外壁ｃから突出した状態に設けられ、複雑な外壁面となっていたのである。
【０００４】
そして、外壁面の形状が複雑になるほど、断熱材の貼着作業や外装材の加工、取付けが煩雑になるから、上記の従来例では、共用廊下ｄ側の外壁に対する外断熱工法のコストが高く付くという問題点があった。
また、上記の従来例では、メーターボックスｅの袖壁ｆがヒートブリッジとなるため、袖壁部分の断熱処理をどのように行なうかが課題とされていた。
なお、図中のｇは梁間方向の構面に構築された戸境壁ｈで区画された住戸、ｉはバルコニーである。
【０００５】
そこで、特開２００３−１０５８８５号公報においては、メーターボックスを共用廊下側の外壁よりも突出した状態に設けるにもかかわらず、断熱材や外装材として平パネルを使用して容易かつ安価に施工でき、袖壁がヒートブリッジになる虞もない下記のような片廊下型集合住宅の外断熱構造が提供された。
上記公報に開示された片廊下型集合住宅の外断熱構造は、戸境壁で区画された住戸群の片側に共用廊下が構築され、反対側にはバルコニーが構築された片廊下型集合住宅において、共用廊下側の柱梁の外面と共用廊下側の外壁の外面とを面一にし、これらの外面全体に断熱材を貼着し、その外側に空気層と外装材を設け、前記外装材の外側にメーターボックス用の袖壁及びカバーパネルを設置して、メーターボックスを構成したものである。
【０００６】
この公報に記載された片廊下型集合住宅の外断熱構造においては、共用廊下側の柱梁の外面と共用廊下側の外壁の外面とが面一であるから、断熱材の貼着作業や外装材の取付け作業が容易であり、断熱材や外装材として平パネルを使用して容易かつ安価に外断熱構造を実現でき、しかも外装材の外側にメーターボックス用袖壁及びカバーパネルを設置して、メーターボックスを構成するので、袖壁と外壁との間が外側の外断熱構造によって断熱されることになり、袖壁がヒートブリッジになる虞もないという効果がある一方、下記のような問題点がある。
（Ａ）メーターボックスの壁と本体壁の間に、断熱材を挟みこむが、その部分の納まりが複雑になり、端部の納まりが悪い。
（Ｂ）メーターボックスの壁と本体壁の間の隙間を作るのに、型枠の加工費がかかりコストがアップする。
（Ｃ）外装材の外側にメーターボックスが取り付けられるため、外装材と壁との間の間隔を極力抑える必要が生じ、断熱材の厚さが薄くなってしまう。上記公報の構造の場合、断熱材の厚さはおおむね３０mm程度と思われる。断熱材を厚くしようとすれば、外廊下幅員を多くとる必要がある。通常集合住宅を設計する場合、寸法ギリギリで設計することが多い。又、建築基準法では、方廊下の幅員は壁と手摺の有効を１２００mmとる必要があるために施工範囲を広げることになり、コストアップにつながる。
【特許文献１】特開２００３−１０５８８５号
【考案の開示】
【考案が解決しようとする課題】
【０００７】
本考案は、全く新規な考え方に基づき、従来の構造のような上記した問題点のない集合住宅の玄関部構造を提供することを課題とする。
【課題を解決するための手段】
【０００８】
上記課題は、下記（１）〜（３）のいずれかの構成の集合住宅の玄関部構造により達成できる。
（１）  戸境壁で区画された住宅群の片側に外廊下が構築された集合住宅の玄関部構造であって、ほぼ天井から床まで延びるメーターボックスが、玄関部の玄関扉に対向して、外廊下の手摺りと一体的に設けられていることを特徴とする集合住宅の玄関部構造。
（２）  住宅の断熱構造が外断熱構造である上記（１）の集合住宅の玄関部構造。
（３）  前記外断熱構造で用いられる断熱材層の厚さが５０ｍｍ以上である上記（２）の集合住宅の玄関部構造。
【考案の効果】
【０００９】
メーターボックスを手摺りに配置したことにより、従来構造のような施工増によるコストが低減できる。また、メーターボックスを玄関扉の反対側正面に設置したことで、玄関への出入りを見られることがなく、目隠しの役割をしている。
更にまた、メーターボックスを玄関扉の反対側正面に設置したことで、玄関部分に直接当たる風を防ぐことができる。
また、本玄関部構造によれば、メーターボックスを壁側に設けなかったことにより、壁側に断熱材を配置する十分なスペースを確保でき、厚さ５０ｍｍ以上の断熱材を設置できる。具体的には、ＥＰＳ断熱材（湿式タイプ）であれば１００mm、乾式通気工法であれば１２５ｍｍの厚さの断熱材を設置できる。
【考案を実施するための最良の形態】
【００１０】
以下、添付図面を参照しつつ、本考案の実施の形態による集合住宅の玄関部構造について説明する。
本考案の実施の形態による玄関部構造が採用された集合住宅は、図１に示したように、各戸１０が戸境壁１２で仕切られており、片側の外壁１４の外側には、バルコニー１６が、他方側の外壁１８の外側には、共用廊下である外廊下２０が設けられている。この外廊下２０の外縁には、手すり壁２２が設けられている。
上記他方側の外壁１８の内側に隣接して玄関３０が構成され、この玄関３０には、玄関扉３２が設けられている。
【００１１】
また、上記外廊下２０の手すり壁２２には、玄関扉３２に対向して、電気、ガス、水道などの共用幹線や共用縦管、それらのメーター類、ガス湯沸器や空調用の室外機などを設置するメーターボックス４０が設けられている。このメーターボックス４０は、ほぼ天井５０から外廊下２０まで延びており、その幅は、９００〜１２００ｍｍ程度である。これにより、メーターボックスは、玄関部の目隠しの作用や玄関への風の吹き込み防止の作用を発揮できる。
【００１２】
上記メーターボックス４０は、図３の平面図に示したように、その後部が手すり壁２２の外面より突出する状態で設けられることが好ましい。これにより、メーターボックスが外廊下２０に突出する度合いを小さくできるとともに、メーターボックスの外に突出した部分が建物全体の外観のアクセントとなる。また、上記メーターボックス４０内には、雨水竪管４２もすっきりと納まる。
【００１３】
上記メーターボックス４０の前面には、メーターボックスの全体を開放することのできる扉４４が設けられている。これにより、メーターボックスの扉を全面開放することで、従来のメーターボックスに比べて配管、配線の盛り変えが容易である。
【００１４】
上記メーターボックス４０の上方の天井５０には、給水・ガス・電気配管スペース５２が設けられ、メーターボックスからの各配線、配管の取り込みに関して、天井を用いて行うようにすることが好ましい。
【００１５】
本集合住宅においては、外壁・外断熱構造６０をとっている。また、本集合住宅においては、外廊下２０を柱から延びる小梁（図示せず）で支持して、建物本体壁と外廊下を切り離し、ヒートブリッジが無いようにすることが好ましい。このとき、建物本体壁と外廊下の間には、断熱材であり不燃材であるロックウール６２等をセットし、断熱効果をもたらすとともに、上下階への延焼を防ぐことが好ましい。
【図面の簡単な説明】
【００１６】
【図１】本考案の実施の形態による集合住宅の一例を示す正面図である。
【図２】図１に示した集合住宅における玄関部構造を示す立面図である。
【図３】図２に示した玄関部構造の平面図である。
【図４】図２に示した玄関部構造の縦断面図である。
【図５】従来の集合住宅の構造を説明するための図である。
【符号の説明】
【００１７】
１０  各戸
１２  戸境壁
１４  外壁
１６  バルコニー
１８  外壁
２０  外廊下
２２  手すり壁
３０  玄関
３２  玄関扉
４０  メーターボックス
５０  天井
５２  給水・ガス・電気配管スペース
６０  外壁・外断熱構造
６２  ロックウール
【図１】
0003108109.tif 000003
【図２】
0003108109.tif 000004
【図３】
0003108109.tif 000005
【図４】
0003108109.tif 000006
【図５】
0003108109.tif 000007